(57)【特許請求の範囲】
【請求項１】
チャンネルの異なる３つ以上の奇数の信号波を同時に受信するためのマルチチャンネル受信機であって、
前記３つ以上の奇数の信号波の中心の信号波のキャリアを周波数ゼロの直流成分に変換し、前記中心の信号波を複素ベースバンド信号に変換すると共に、前記中心の信号波以外の信号波を周波数ゼロの直流成分に対して対称に配置された複素中間周波数信号に変換する複素出力周波数変換手段と、
前記複素出力周波数変換手段の複素出力の実数軸信号と虚数軸信号とをそれぞれサンプリングしてディジタル信号化する１組のＡ／Ｄ変換手段と、
前記１組のＡ／Ｄ変換手段から出力される１つ以上の正のチャンネルの複素信号をベースバンド信号に変換する、各チャンネルに対応した１つ以上の正側周波数変換手段と、
前記１組のＡ／Ｄ変換手段から出力される１つ以上の負のチャンネルの複素信号をベースバンド信号に変換する、各チャンネルに対応した１つ以上の負側周波数変換手段と、
を備え、
周波数ゼロの直流成分に対して対称に配置された複素中間周波数信号に対応する前記正側周波数変換手段の複素ローカル信号と、前記負側周波数変換手段の複素ローカル信号とが複素共役の関係にある
ことを特徴とするマルチチャンネル受信機。
【請求項２】
チャンネルの異なる２つ以上の偶数の信号波を同時に受信するためのマルチチャンネル受信機であって、
前記２つ以上の偶数の信号波のキャリア周波数の中心の周波数を周波数ゼロの直流成分に変換し、前記２つ以上の偶数の信号波を周波数ゼロの直流成分に対して対称に配置された複素中間周波数信号に変換する複素出力周波数変換手段と、前記複素出力周波数変換手段の複素出力の実数軸信号と虚数軸信号とをそれぞれサンプリングしてディジタル信号化する１組のＡ／Ｄ変換手段と、
前記１組のＡ／Ｄ変換手段から出力される１つ以上の正のチャンネルの複素信号を複素ベースバンド信号に変換する、各チャンネルに対応した１つ以上の正側周波数変換手段と、
前記１組のＡ／Ｄ変換手段から出力される１つ以上の負のチャンネルの複素信号を複素ベースバンド信号に変換する、各チャンネルに対応した１つ以上の負側周波数変換手段と、
を備え、
周波数ゼロの直流成分に対して対称に配置された複素中間周波数信号に対応する前記正側周波数変換手段の複素ローカル信号と、前記負側周波数変換手段の複素ローカル信号とが複素共役の関係にある
ことを特徴とするマルチチャンネル受信機。
【請求項３】
チャンネルの異なる２つ以上の偶数の信号波を同時に受信するためのマルチチャンネル受信機であって、
前記２つ以上の偶数の信号波を、中間周波数の信号に変換する一次周波数変換手段と、
前記一次周波数変換手段の出力をサンプリングしてディジタル信号化するＡ／Ｄ変換手段と、
前記Ａ／Ｄ変換手段から出力される前記２つ以上の偶数の信号波のキャリア周波数の中心の周波数を周波数ゼロの直流成分に変換し、前記２つ以上の偶数の信号波を周波数ゼロの直流成分に対して対称に配置された複素中間周波数ディジタル信号に変換する複素出力ディジタル周波数変換手段と、
前記複素出力ディジタル周波数変換手段から出力される１つ以上の正のチャンネルの複素信号を複素ベースバンド信号に変換する、各チャンネルに対応した１つ以上の正側周波数変換手段と、
前記複素出力ディジタル周波数変換手段から出力される１つ以上の負のチャンネルの複素信号を複素ベースバンド信号に変換する、各チャンネルに対応した１つ以上の負側周波数変換手段と、
を備え、
周波数ゼロの直流成分に対して対称に配置された複素中間周波数信号に対応する前記正側周波数変換手段の複素ローカル信号と、前記負側周波数変換手段の複素ローカル信号とが複素共役の関係にある
ことを特徴とするマルチチャンネル受信機。
【請求項４】
前記正側周波数変換手段の複素ローカル信号か、前記負側周波数変換手段の複素ローカル信号のどちらか一方の複素ローカル信号を用意し、もう一方の複素ローカル信号は、用意された複素ローカル信号の複素共役信号から生成して利用する
ことを特徴とする請求項１から請求項３のいずれかに記載のマルチチャンネル受信機。
【請求項５】
複素ローカル信号が互いに複素共役の関係にある前記正側周波数変換手段と前記負側周波数変換手段とを、両者の乗算器を共用化した構成を持つ合成周波数変換手段に変更した
ことを特徴とする請求項１から請求項４のいずれかに記載のマルチチャンネル受信機。
【請求項６】
前記チャンネルの異なる３つ以上の奇数の信号波、あるいは前記チャンネルの異なる２つ以上の偶数の信号波が、マルチキャリア信号であることを特徴とする請求項１から請求項５のいずれかに記載のマルチチャンネル受信機。
【発明の詳細な説明】
【０００１】
【発明の属する技術分野】
この発明は、チャンネルの異なる複数の信号波を同時に受信するためのマルチチャンネル受信機に関する。
【０００２】
【従来の技術】
従来、キャリア周波数の異なる複数のチャンネルを同時に受信するための処理簡略化方法の代表的な方法として、ＦＦＴ（Fast Fourier Transform： 高速フーリエ変換）を用いる方法がある。ＦＦＴを用いてキャリア周波数の異なる複数のチャンネルを同時に受信する場合、受信する信号が実ディジタル信号の場合はナイキスト帯域幅をＮ／２分割することで、また複素ディジタル信号の場合はナイキスト帯域幅をＮ分割することで、キャリア周波数の異なるＮ個の信号をキャリア毎に分割（チャンネル選択）すると同時に、各信号をベースバンド信号に変換できる。
なお、ここでチャンネルとは、例えば通信の受信信号波や放送の送受信信号波を示す周波数軸上の領域、または上記信号波のキャリア周波数のことを示す。
【０００３】
例えば、図９は従来例の受信機の構成を示すブロック図であって、従来例の受信機は、アンテナ１からの受信信号を、該受信信号に直交キャリア発振器２１の発生するローカル信号の実数軸信号”ｃｏｓ”と、実数軸信号より９０度位相の進んだ虚数軸信号”−ｓｉｎ”とをそれぞれ乗算する乗算器２２と乗算器２３とを備えた直交検波器２において、複数のチャンネルの信号波を複素中間周波数信号に変換すると共に、複素中間周波数信号に変換された直交検波器２の複素信号出力をＡ／Ｄ変換器であるＡＤＣ３ａ、３ｂによりそれぞれＡ／Ｄ変換し、複素中間周波数ディジタル信号とする。そして、ＦＦＴ５１によりキャリア周波数の異なる信号波毎に同時にベースバンド信号に変換して、次段に接続されたパラレル／シリアル変換器５２に出力する。
【０００４】
【発明が解決しようとする課題】
しかし、ＦＦＴを用いてキャリア周波数の異なる複数のチャンネルを同時に受信するには、各チャンネルの変調波シンボルタイミングを互いに同期させる必要があると共に、更には各チャンネルを分離するためには変調波シンボルタイミング（シンボル周期）の逆数で示される周波数を、各チャンネルのキャリア間隔周波数とする必要があるという制約が発生する。これらの条件を満たすものに、ＯＦＤＭ（Orthogonal Frequency Division Multiplexing）のシンボルと各変調波信号との関係がある。しかし、キャリア周波数の異なる変調波信号間で、これらの条件を満足することは、ＯＦＤＭであっても容易なことではなく、現実的ではない。
【０００５】
従って、チャンネルの異なる多数の信号波を同時に受信するには、多数の受信部を並列に並べるのが一般的であった。また、数十キャリア以上を同時に受信するにはＦＦＴが適しており、キャリア数が多いほどＦＦＴが有利であるが、キャリア数が少ない場合には、必ずしもＦＦＴが適しているとは言えず、一般的に要求される数キャリア程度の信号の同時受信には有効な方法がないという問題があった。
【０００６】
本発明は、上記問題点に鑑みてなされたもので、信号の変調波シンボルタイミングとチャンネル間隔に制約のない、マルチチャンネル信号の効率的な同時受信を行うマルチチャンネル受信機を提供することを目的とする。
【０００７】
【課題を解決するための手段】
上記課題を解決するために、請求項１の発明に係わるマルチチャンネル受信機は、チャンネルの異なる３つ以上の奇数の信号波を同時に受信するためのマルチチャンネル受信機であって、前記３つ以上の奇数の信号波の中心の信号波のキャリアを周波数ゼロの直流成分に変換し、前記中心の信号波を複素ベースバンド信号に変換すると共に、前記中心の信号波以外の信号波を周波数ゼロの直流成分に対して対称に配置された複素中間周波数信号に変換する複素出力周波数変換手段（例えば実施の形態の直交検波器２）と、前記複素出力周波数変換手段の複素出力の実数軸信号と虚数軸信号とをそれぞれサンプリングしてディジタル信号化する１組のＡ／Ｄ変換手段（例えば実施の形態のＡＤＣ３ａ、３ｂ）と、前記１組のＡ／Ｄ変換手段から出力される１つ以上の正のチャンネルの複素信号をベースバンド信号に変換する、各チャンネルに対応した１つ以上の正側周波数変換手段（例えば実施の形態の複素ミキサ５、７）と、前記１組のＡ／Ｄ変換手段から出力される１つ以上の負のチャンネルの複素信号をベースバンド信号に変換する、各チャンネルに対応した１つ以上の負側周波数変換手段（例えば実施の形態の複素ミキサ４、６）とを備え、周波数ゼロの直流成分に対して対称に配置された複素中間周波数信号に対応する前記正側周波数変換手段の複素ローカル信号と、前記負側周波数変換手段の複素ローカル信号とが複素共役の関係にあることを特徴とする。
【０００８】
以上の構成を備えたマルチチャンネル受信機は、複素出力周波数変換手段によって、３つ以上の奇数の信号波の中心の信号波のキャリアを、周波数ゼロの直流成分に周波数変換することで、チャンネルの異なる３つ以上の奇数の信号波の中で中心に存在する信号波を、１組のＡ／Ｄ変換手段の出力から直接ディジタル信号化されたベースバンド信号として取り出すことができる。また、周波数ゼロの直流成分に対して対称に配置された複素中間周波数信号を、１組のＡ／Ｄ変換手段によりディジタル信号化した後、各信号波のチャンネルに対応すると共に、互いに複素共役の関係にあるローカル信号を持つ、信号波数分用意された正側周波数変換手段と負側周波数変換手段とにより、それぞれ同時にベースバンド信号に変換して取り出すことができる。
【０００９】
請求項２の発明に係わるマルチチャンネル受信機は、チャンネルの異なる２つ以上の偶数の信号波を同時に受信するためのマルチチャンネル受信機であって、前記２つ以上の偶数の信号波のキャリア周波数の中心の周波数を周波数ゼロの直流成分に変換し、前記２つ以上の偶数の信号波を周波数ゼロの直流成分に対して対称に配置された複素中間周波数信号に変換する複素出力周波数変換手段（例えば実施の形態の直交検波器２）と、前記複素出力周波数変換手段の複素出力の実数軸信号と虚数軸信号とをそれぞれサンプリングしてディジタル信号化する１組のＡ／Ｄ変換手段（例えば実施の形態のＡＤＣ３ａ、３ｂ）と、前記１組のＡ／Ｄ変換手段から出力される１つ以上の正のチャンネルの複素信号を複素ベースバンド信号に変換する、各チャンネルに対応した１つ以上の正側周波数変換手段（例えば実施の形態の複素ミキサ５、７）と、前記１組のＡ／Ｄ変換手段から出力される１つ以上の負のチャンネルの複素信号を複素ベースバンド信号に変換する、各チャンネルに対応した１つ以上の負側周波数変換手段（例えば実施の形態の複素ミキサ４、６）とを備え、周波数ゼロの直流成分に対して対称に配置された複素中間周波数信号に対応する前記正側周波数変換手段の複素ローカル信号と、前記負側周波数変換手段の複素ローカル信号とが複素共役の関係にあることを特徴とする。
【００１０】
以上の構成を備えたマルチチャンネル受信機は、複素出力周波数変換手段によって、チャンネルの異なる２つ以上の偶数の信号波のキャリア周波数の中心の周波数を周波数ゼロの直流成分に周波数変換することで、周波数ゼロの直流成分に対して対称に配置された複素中間周波数信号を、１組のＡ／Ｄ変換手段によりディジタル信号化した後、各信号波のチャンネルに対応すると共に、互いに複素共役の関係にあるローカル信号を持つ、信号波数分用意された正側周波数変換手段と負側周波数変換手段とにより、それぞれ同時にベースバンド信号に変換して取り出すことができる。
【００１１】
請求項３の発明に係わるマルチチャンネル受信機は、チャンネルの異なる２つ以上の偶数の信号波を同時に受信するためのマルチチャンネル受信機であって、前記２つ以上の偶数の信号波を、中間周波数の信号に変換する一次周波数変換手段（例えば実施の形態のキャリア発振器１４、乗算器１５）と、前記一次周波数変換手段の出力をサンプリングしてディジタル信号化するＡ／Ｄ変換手段（例えば実施の形態のＡＤＣ１７）と、前記Ａ／Ｄ変換手段から出力される前記２つ以上の偶数の信号波のキャリア周波数の中心の周波数を周波数ゼロの直流成分に変換し、前記２つ以上の偶数の信号波を周波数ゼロの直流成分に対して対称に配置された複素中間周波数ディジタル信号に変換する複素出力ディジタル周波数変換手段（例えば実施の形態のディジタル直交検波器１８）と、前記複素出力ディジタル周波数変換手段から出力される１つ以上の正のチャンネルの複素信号を複素ベースバンド信号に変換する、各チャンネルに対応した１つ以上の正側周波数変換手段（例えば実施の形態の複素ミキサ５、７）と、前記複素出力ディジタル周波数変換手段から出力される１つ以上の負のチャンネルの複素信号を複素ベースバンド信号に変換する、各チャンネルに対応した１つ以上の負側周波数変換手段（例えば実施の形態の複素ミキサ４、６）とを備え、周波数ゼロの直流成分に対して対称に配置された複素中間周波数信号に対応する前記正側周波数変換手段の複素ローカル信号と、前記負側周波数変換手段の複素ローカル信号とが複素共役の関係にあることを特徴とする。
【００１２】
以上の構成を備えたマルチチャンネル受信機は、チャンネルの異なる２つ以上の偶数の信号波を、一次周波数変換手段により中間周波数の信号に変換した後、Ａ／Ｄ変換手段によりディジタル信号化することで、複素出力ディジタル周波数変換手段により、２つ以上の偶数の信号波のキャリア周波数の中心の周波数を周波数ゼロの直流成分に変換し、２つ以上の偶数の信号波を周波数ゼロの直流成分に対して対称に配置された複素中間周波数ディジタル信号に変換することができる。
また、周波数ゼロの直流成分に対して対称に配置された複素中間周波数ディジタル信号を、各信号波のチャンネルに対応すると共に、互いに複素共役の関係にあるローカル信号を持つ信号波数分用意された正側周波数変換手段と負側周波数変換手段とにより、それぞれ同時にベースバンド信号に変換して取り出すことができる。
【００１３】
請求項４の発明に係わるマルチチャンネル受信機は、請求項１から請求項３のいずれかに記載のマルチチャンネル受信機において、前記正側周波数変換手段の複素ローカル信号か、前記負側周波数変換手段の複素ローカル信号のどちらか一方の複素ローカル信号を用意し、もう一方の複素ローカル信号は、用意された複素ローカル信号の複素共役信号から生成して利用することを特徴とする。
以上の構成を備えたマルチチャンネル受信機は、周波数ゼロの直流成分に対して対称に配置された複素中間周波数信号に対応する正側周波数変換手段の複素ローカル信号か、負側周波数変換手段の複素ローカル信号のどちらか一方の複素ローカル信号を用意し、もう一方の複素ローカル信号はこれを利用して生成すれば良いので、新たなローカル信号発生器が不要となる。
【００１４】
請求項５の発明に係わるマルチチャンネル受信機は、請求項１から請求項４のいずれかに記載のマルチチャンネル受信機において、複素ローカル信号が互いに複素共役の関係にある前記正側周波数変換手段と前記負側周波数変換手段とを、両者の乗算器を共用化した構成を持つ合成周波数変換手段（例えば実施の形態の合成複素ミキサ１９、２０）に変更したことを特徴とする。
以上の構成を備えたマルチチャンネル受信機は、複素ローカル信号が互いに複素共役の関係にある正側周波数変換手段と負側周波数変換手段とにおいて、両者の乗算器を共用化することで、周波数ゼロの直流成分に対して対称に配置された正側と負側の複素中間周波数信号を、同時にベースバンド信号に変換することができる。
【００１５】
請求項６の発明に係わるマルチチャンネル受信機は、請求項１から請求項５のいずれかに記載のマルチチャンネル受信機において、前記チャンネルの異なる３つ以上の奇数の信号波、あるいは前記チャンネルの異なる２つ以上の偶数の信号波が、マルチキャリア信号であることを特徴とする。
このマルチチャンネル受信機は、信号の変調波シンボルタイミングや周波数間隔に制約のあるマルチキャリア信号でも、３つ以上の奇数の信号波、あるいは２つ以上の偶数の信号波を、周波数ゼロの直流成分に対して対称に配置された正側と負側の信号からなる複素中間周波数信号に変換することで、マルチチャンネル信号と同様に受信することができる。
【００１６】
【発明の実施の形態】
以下、図面を参照して本発明の実施の形態について説明する。
（第１の実施の形態）
第１の実施の形態では、一例として、例えば、図１（ａ）に示すようなｆ１’、ｆ２’、ｆ３’、ｆ４’、ｆ５’の５つの信号波を同時に受信するマルチチャンネル受信機について説明を行う。
図２は、本発明の第１の実施の形態によるマルチチャンネル受信機の構成を示すブロック図であって、図２において、図９に示した従来例の受信機の構成要素と同じ符号を付与した構成要素は、従来例の受信機と同じ動作を行う構成要素である。
【００１７】
図２を参照して、本実施の形態のマルチチャンネル受信機を説明すると、本実施の形態のマルチチャンネル受信機は、アンテナ１からの受信信号を、該受信信号に直交キャリア発振器２１の発生するローカル信号の実数軸信号”ｃｏｓ”と、実数軸信号より９０度位相の進んだ虚数軸信号”−ｓｉｎ”とをそれぞれ乗算する乗算器２２と乗算器２３とを備えた直交検波器２において、図１（ｂ）に示すように、５つの奇数の信号波の中心の信号波のキャリアｆ３’を周波数ゼロの直流成分に変換し、中心の信号波を複素ベースバンド信号に変換する。同時に、キャリアｆ３’の信号以外のキャリアｆ１’、ｆ２’、ｆ４’、ｆ５’の信号波を、周波数ゼロの直流成分に対して対称に配置されたキャリアｆ１、ｆ２、ｆ４、ｆ５の複素中間周波数信号に変換すると共に、複素中間周波数信号に変換された直交検波器２の複素信号出力をＡ／Ｄ変換器であるＡＤＣ３ａ、３ｂによりそれぞれＡ／Ｄ変換し、複素中間周波数ディジタル信号とする。
【００１８】
なお、図１（ａ）、（ｂ）に示す信号波の配置は一例であって、入力される信号波は、直交検波器２の出力において、キャリアｆ３’の信号がベースバンド信号に変換された状態の時、キャリアｆ１とｆ５、及びキャリアｆ２とｆ４が、それぞれ周波数ゼロの直流成分に対して対称に配置された信号波（ローカル信号が互いに複素共役周波数の関係にある信号波）であれば良く、図１（ａ）、（ｂ）に示すように、等間隔あるいは隣接して配置される必要はない。
【００１９】
一方、周波数ゼロの直流成分に対して対称に配置されたキャリアｆ１、ｆ２、ｆ４、ｆ５の複素中間周波数ディジタル信号は、同時に各キャリア周波数に対応した複素ミキサ４、５、６、７に入力され、それぞれの信号波に対して周波数変換が行われる。ここで、複素ミキサ４は、キャリアｆ４の信号波に対応した複素ミキサであって、ローカル信号入力端子（Ｆ．Ｉ、Ｆ．Ｑ）にｆ４の絶対値の周波数を発振周波数とする直交キャリア発振器８が発生したローカル信号の実数軸信号”ｃｏｓ”と、実数軸信号より９０度位相の遅れた虚数軸信号”ｓｉｎ”とがぞれぞれ入力されており、負側のキャリアｆ４の信号波に周波数変換を行い、キャリアｆ４を周波数ゼロの直流成分に変換し、この信号波を複素ベースバンド信号（Ｉ４、Ｑ４）に変換する。
【００２０】
また、複素ミキサ５は、キャリアｆ２の信号波に対応した複素ミキサであって、ローカル信号入力端子（Ｆ．Ｉ、Ｆ．Ｑ）にｆ４の絶対値の周波数を発振周波数とする直交キャリア発振器８が発生したローカル信号の実数軸信号”ｃｏｓ”と、直交キャリア発振器８の発生するローカル信号の虚数軸信号”ｓｉｎ”を符号反転器９により符号反転した”−ｓｉｎ”とがそれぞれ入力されており、正側のキャリアｆ２の信号波に周波数変換を行い、キャリアｆ２を周波数ゼロの直流成分に変換し、この信号波を複素ベースバンド信号（Ｉ２、Ｑ２）に変換する。
【００２１】
また、複素ミキサ６は、キャリアｆ５の信号波に対応した複素ミキサであって、ローカル信号入力端子（Ｆ．Ｉ、Ｆ．Ｑ）にｆ５の絶対値の周波数を発振周波数とする直交キャリア発振器１０が発生したローカル信号の実数軸信号”ｃｏｓ”と、実数軸信号より９０度位相の遅れた虚数軸信号”ｓｉｎ”とがそれぞれ入力されており、負側のキャリアｆ５の信号波に周波数変換を行い、キャリアｆ５を周波数ゼロの直流成分に変換し、この信号波を複素ベースバンド信号（Ｉ５、Ｑ５）に変換する。
【００２２】
更に、複素ミキサ７は、キャリアｆ１の信号波に対応した複素ミキサであって、ローカル信号入力端子（Ｆ．Ｉ、Ｆ．Ｑ）にｆ５の絶対値の周波数を発振周波数とする直交キャリア発振器１０が発生したローカル信号の実数軸信号”ｃｏｓ”と、直交キャリア発振器１０の発生するローカル信号の虚数軸信号”ｓｉｎ”を符号反転器１１により符号反転した”−ｓｉｎ”とがそれぞれ入力されており、正側のキャリアｆ１の信号波に周波数変換を行い、キャリアｆ１を周波数ゼロの直流成分に変換し、この信号波を複素ベースバンド信号（Ｉ１、Ｑ１）に変換する。
【００２３】
次に、本実施の形態のマルチチャンネル受信機で用いられる複素ミキサ４、５、６、７を、図面を参照して更に詳細に説明する。
図３は、複素ミキサ４、５、６、７の構成を示すブロック図であって、複素ミキサは、入力された実数軸信号（Ｓ．Ｉ）と虚数軸信号（Ｓ．Ｑ）とに、外部に接続された直交キャリア発振器の発生するローカル信号の実数軸信号（Ｆ．Ｉ）と、虚数軸信号（Ｆ．Ｑ）とをそれぞれ乗算する乗算器３１及び乗算器３２と、更に乗算器３１の出力から乗算器３２の出力を減算して実数軸信号出力（Ｐ．Ｉ）とする減算器３３を備えている。また複素ミキサは、入力された実数軸信号（Ｓ．Ｉ）と虚数軸信号（Ｓ．Ｑ）とに、同様に外部に接続された直交キャリア発振器の発生するローカル信号の虚数軸信号（Ｆ．Ｑ）と、実数軸信号（Ｆ．Ｉ）とをそれぞれ乗算する乗算器３４及び乗算器３５と、更に乗算器３４の出力に乗算器３５の出力を加算して虚数軸信号出力（Ｐ．Ｑ）とする加算器３６を備えている。
【００２４】
以上説明したように、本実施の形態のマルチチャンネル受信機は、直交検波器２によって、例えばチャンネルの異なる５つの信号波の中心の信号波のキャリアを、周波数ゼロの直流成分に周波数変換することで、チャンネルの異なる５つの信号波の中で中心に存在する信号波を、１組のＡ／Ｄ変換器ＡＤＣ３ａ、３ｂの出力から直接ディジタル信号化されたベースバンド信号として取り出すことができる。また、周波数ゼロの直流成分に対して対称に配置された複素中間周波数信号を、１組のＡ／Ｄ変換器ＡＤＣ３ａ、３ｂによりディジタル信号化した後、各信号波のキャリア周波数に対応すると共に、互いに複素共役の関係にあるローカル信号を持つ複素ミキサ４と５、及び複素ミキサ６と７によって、残る４つの信号波を同時にベースバンド信号に変換して取り出すことができる。
従って、演算量や回路規模が小さく、消費電力の少ない受信機を構成できるという効果が得られる。
【００２５】
（第２の実施の形態）
第２の実施の形態では、一例として、例えば、図４（ａ）に示すようなｆ１’、ｆ２’、ｆ３’、ｆ４’の４つの信号波を同時に受信するマルチチャンネル受信機について説明を行う。
図５は、本発明の第２の実施の形態によるマルチチャンネル受信機の構成を示すブロック図であって、図５において、図９に示した従来例の受信機の構成要素と同じ符号を付与した構成要素は、従来例の受信機と同じ動作を行う構成要素である。また、図２に示した第１の実施の形態のマルチチャンネル受信機の構成要素と同じ符号を付与した構成要素は、第１の実施の形態のマルチチャンネル受信機と同じ動作を行う構成要素である。
【００２６】
図５を参照して、本実施の形態のマルチチャンネル受信機を説明すると、本実施の形態のマルチチャンネル受信機は、アンテナ１からの受信信号を、該受信信号に直交キャリア発振器２１の発生するローカル信号の実数軸信号”ｃｏｓ”と、実数軸信号より９０度位相の進んだ虚数軸信号”−ｓｉｎ”とをそれぞれ乗算する乗算器２２と乗算器２３とを備えた直交検波器２において、図４（ｂ）に示すように、ｆ１’、ｆ２’、ｆ３’、ｆ４’の４つの偶数の信号波のキャリア周波数の中心の周波数を周波数ゼロの直流成分に変換し、４つの偶数の信号波を周波数ゼロの直流成分に対して対称に配置されたキャリアｆ１、ｆ２、ｆ３、ｆ４の複素中間周波数信号に変換すると共に、複素中間周波数信号に変換された直交検波器２の複素信号出力をＡ／Ｄ変換器であるＡＤＣ３ａ、３ｂによりそれぞれＡ／Ｄ変換し、複素中間周波数ディジタル信号とする。
【００２７】
なお、図４（ａ）、（ｂ）に示す信号波の配置は一例であって、入力される信号波は、直交検波器２の出力において、キャリアｆ１とｆ４、及びキャリアｆ２とｆ３が、それぞれ周波数ゼロの直流成分に対して対称に配置された信号波（キャリア成分が互いに複素共役の関係にある信号波）であれば良く、図４（ａ）、（ｂ）に示すように、等間隔あるいは隣接して配置される必要はない。
【００２８】
また、周波数ゼロの直流成分に対して対称に配置されたキャリアｆ１、ｆ２、ｆ３、ｆ４の複素中間周波数ディジタル信号は、同時に各キャリア周波数に対応した複素ミキサ４、５、６、７に入力され、それぞれの信号波に対して周波数変換が行われる。ここで、複素ミキサ４は、キャリアｆ３の信号波に対応した複素ミキサであって、ローカル信号入力端子（Ｆ．Ｉ、Ｆ．Ｑ）にｆ３の絶対値の周波数を発振周波数とする直交キャリア発振器１２が発生したローカル信号の実数軸信号”ｃｏｓ”と、実数軸信号より９０度位相の遅れた虚数軸信号”ｓｉｎ”とがそれぞれ入力されており、負側のキャリアｆ３の信号波に周波数変換を行い、キャリアｆ３を周波数ゼロの直流成分に変換し、この信号波を複素ベースバンド信号（Ｉ３、Ｑ３）に変換する。
【００２９】
また、複素ミキサ５は、キャリアｆ２の信号波に対応した複素ミキサであって、ローカル信号入力端子（Ｆ．Ｉ、Ｆ．Ｑ）にｆ３の絶対値の周波数を発振周波数とする直交キャリア発振器１２が発生したローカル信号の実数軸信号”ｃｏｓ”と、直交キャリア発振器１２の発生するローカル信号の虚数軸信号”ｓｉｎ”を符号反転器９により符号反転した”−ｓｉｎ”とがそれぞれ入力されており、正側のキャリアｆ２の信号波に周波数変換を行い、キャリアｆ２を周波数ゼロの直流成分に変換し、この信号波を複素ベースバンド信号（Ｉ２、Ｑ２）に変換する。
【００３０】
また、複素ミキサ６は、キャリアｆ４の信号波に対応した複素ミキサであって、ローカル信号入力端子（Ｆ．Ｉ、Ｆ．Ｑ）にｆ４の絶対値の周波数を発振周波数とする直交キャリア発振器１３が発生したローカル信号の実数軸信号”ｃｏｓ”と、実数軸信号より９０度位相の遅れた虚数軸信号”ｓｉｎ”とがそれぞれ入力されており、負側のキャリアｆ４の信号波に周波数変換を行い、キャリアｆ４を周波数ゼロの直流成分に変換し、この信号波を複素ベースバンド信号（Ｉ４、Ｑ４）に変換する。
【００３１】
更に、複素ミキサ７は、キャリアｆ１の信号波に対応した複素ミキサであって、ローカル信号入力端子（Ｆ．Ｉ、Ｆ．Ｑ）にｆ４の絶対値の周波数を発振周波数とする直交キャリア発振器１３が発生したローカル信号の実数軸信号”ｃｏｓ”と、直交キャリア発振器１３の発生するローカル信号の虚数軸信号”ｓｉｎ”を符号反転器１１により符号反転した”−ｓｉｎ”とがそれぞれ入力されており、正側のキャリアｆ１の信号波に周波数変換を行い、キャリアｆ１を周波数ゼロの直流成分に変換し、この信号波を複素ベースバンド信号（Ｉ１、Ｑ１）に変換する。
【００３２】
なお、本実施の形態のマルチチャンネル受信機で用いられる複素ミキサ４、５、６、７も、第１の実施の形態のマルチチャンネル受信機と同じ図３を用いて説明した複素ミキサを用いるものとする。
【００３３】
以上説明したように、本実施の形態のマルチチャンネル受信機は、直交検波器２によって、例えばチャンネルの異なる４つの信号波のキャリア周波数の中心の周波数を周波数ゼロの直流成分に周波数変換することで、周波数ゼロの直流成分に対して対称に配置されたチャンネルの異なる４つの複素中間周波数信号とし、次に、４つの複素中間周波数信号を１組のＡ／Ｄ変換器ＡＤＣ３ａ、３ｂによりディジタル信号化した後、各信号波のキャリア周波数に対応すると共に、互いに複素共役の関係にあるローカル信号を持つ複素ミキサ４と５、及び複素ミキサ６と７によって、４つの信号波を同時にベースバンド信号に変換して取り出すことができる。
従って、演算量や回路規模が小さく、消費電力の少ない受信機を構成できるという効果が得られる。
【００３４】
（第３の実施の形態）
第３の実施の形態では、一例として、例えば、図４（ａ）に示すようなｆ１’、ｆ２’、ｆ３’、ｆ４’の４つの信号波を同時に受信するマルチチャンネル受信機であって、第１、第２の実施の形態で説明したアナログ信号処理による直交検波器２の代わりに、ディジタル信号処理による直交検波器を用いる場合について説明を行う。
図６は、本発明の第３の実施の形態によるマルチチャンネル受信機の構成を示すブロック図であって、図６において、図９に示した従来例の受信機の構成要素と同じ符号を付与した構成要素は、従来例の受信機と同じ動作を行う構成要素である。また、図２と図５に示した第１、第２の実施の形態のマルチチャンネル受信機の構成要素と同じ符号を付与した構成要素は、第１、第２の実施の形態のマルチチャンネル受信機と同じ動作を行う構成要素である。
【００３５】
図６を参照して、本実施の形態のマルチチャンネル受信機を説明すると、本実施の形態のマルチチャンネル受信機は、アンテナ１からの受信信号を、該受信信号にキャリア発振器１４の発生する実数軸信号”ｃｏｓ”を乗算するミキサ１５によって中間周波数信号に変換し、変換された中間周波数信号からバンドパスフィルタ１６によって希望の帯域の信号波を抽出する。そして、バンドパスフィルタ１６によって抽出された信号波を、Ａ／Ｄ変換器であるＡＤＣ１７によってディジタル信号化し、直交キャリア発振器４１の発生するローカル信号の実数軸信号”ｃｏｓ”と、実数軸信号より９０度位相の進んだ虚数軸信号”−ｓｉｎ”とをそれぞれ乗算する乗算器４２と乗算器４３とを備えたディジタル直交検波器１８において、図４（ｂ）に示すように、ｆ１’、ｆ２’、ｆ３’、ｆ４’の４つの偶数の信号波のキャリア周波数の中心の周波数を周波数ゼロの直流成分に変換し、４つの偶数の信号波を周波数ゼロの直流成分に対して対称に配置されたキャリアｆ１、ｆ２、ｆ３、ｆ４の複素中間周波数ディジタル信号に変換する。
【００３６】
なお、第２の実施の形態と同様に、図４（ａ）、（ｂ）に示す信号波の配置は一例であって、入力される信号波は、ディジタル直交検波器１８の出力において、キャリアｆ１とｆ４、及びキャリアｆ２とｆ３が、それぞれ周波数ゼロの直流成分に対して対称に配置された信号波（ローカル信号が互いに複素共役周波数の関係にある信号波）であれば良く、図４（ａ）、（ｂ）に示すように、等間隔あるいは隣接して配置される必要はない。
【００３７】
また、周波数ゼロの直流成分に対して対称に配置されたキャリアｆ１、ｆ２、ｆ３、ｆ４の複素中間周波数ディジタル信号は、同時に各キャリア周波数に対応した複素ミキサ４、５、６、７に入力され、それぞれの信号波に対して周波数変換が行われる。ここで、複素ミキサ４は、キャリアｆ３の信号波に対応した複素ミキサであって、ローカル信号入力端子（Ｆ．Ｉ、Ｆ．Ｑ）にｆ３の絶対値の周波数を発振周波数とする直交キャリア発振器１２が発生したローカル信号の実数軸信号”ｃｏｓ”と、実数軸信号より９０度位相の遅れた虚数軸信号”ｓｉｎ”とがそれぞれ入力されており、負側のキャリアｆ３の信号波に周波数変換を行い、キャリアｆ３を周波数ゼロの直流成分に変換し、この信号波を複素ベースバンド信号（Ｉ３、Ｑ３）に変換する。
【００３８】
また、複素ミキサ５は、キャリアｆ２の信号波に対応した複素ミキサであって、ローカル信号入力端子（Ｆ．Ｉ、Ｆ．Ｑ）にｆ３の絶対値の周波数を発振周波数とする直交キャリア発振器１２が発生したローカル信号の実数軸信号”ｃｏｓ”と、直交キャリア発振器１２の発生するローカル信号の虚数軸信号”ｓｉｎ”を符号反転器９により符号反転した”−ｓｉｎ”とがそれぞれ入力されており、正側のキャリアｆ２の信号波に周波数変換を行い、キャリアｆ２を周波数ゼロの直流成分に変換し、この信号波を複素ベースバンド信号（Ｉ２、Ｑ２）に変換する。
【００３９】
また、複素ミキサ６は、キャリアｆ４の信号波に対応した複素ミキサであって、ローカル信号入力端子（Ｆ．Ｉ、Ｆ．Ｑ）にｆ４の絶対値の周波数を発振周波数とする直交キャリア発振器１３が発生したローカル信号の実数軸信号”ｃｏｓ”と、実数軸信号より９０度位相の遅れた虚数軸信号”ｓｉｎ”とがそれぞれ入力されており、負側のキャリアｆ４の信号波に周波数変換を行い、キャリアｆ４を周波数ゼロの直流成分に変換し、この信号波を複素ベースバンド信号（Ｉ４、Ｑ４）に変換する。
【００４０】
更に、複素ミキサ７は、キャリアｆ１の信号波に対応した複素ミキサであって、ローカル信号入力端子（Ｆ．Ｉ、Ｆ．Ｑ）にｆ４の絶対値の周波数を発振周波数とする直交キャリア発振器１３が発生したローカル信号の実数軸信号”ｃｏｓ”と、直交キャリア発振器１３の発生するローカル信号の虚数軸信号”ｓｉｎ”を符号反転器１１により符号反転した”−ｓｉｎ”とがそれぞれ入力されており、正側のキャリアｆ１の信号波に周波数変換を行い、キャリアｆ１を周波数ゼロの直流成分に変換し、この信号波を複素ベースバンド信号（Ｉ１、Ｑ１）に変換する。
【００４１】
なお、本実施の形態のマルチチャンネル受信機で用いられる複素ミキサ４、５、６、７も、第１、第２の実施の形態のマルチチャンネル受信機と同じ図３を用いて説明した複素ミキサを用いるものとする。
【００４２】
以上説明したように、本実施の形態のマルチチャンネル受信機は、まず、受信信号をミキサ１５によって中間周波数信号に変換し、これをＡＤＣ１７によってディジタル信号化する。そして、ディジタル直交検波器１８によって、例えばチャンネルの異なる４つの信号波のキャリア周波数の中心の周波数を周波数ゼロの直流成分に周波数変換することで、周波数ゼロの直流成分に対して対称に配置されたチャンネルの異なる４つの複素中間周波数ディジタル信号とし、次に、各信号波のキャリア周波数に対応すると共に、互いに複素共役の関係にあるローカル信号を持つ複素ミキサ４と５、及び複素ミキサ６と７によって、４つの信号波を同時にベースバンド信号に変換して取り出すことができる。
【００４３】
従って、演算量や回路規模が小さく、消費電力の少ない受信機を構成できるという効果が得られると共に、複数の信号波をディジタル信号化してから、ディジタル直交検波器１８により複素中間周波数ディジタル信号に変換することができるので、複素信号に変換する際に、周波数変換手段において、入力された複数の信号波のお互いのイメージ信号による妨害の発生がなく、例えば、周波数ゼロの直流成分に対して対称に配置された正側と負側の複素中間周波数ディジタル信号に大きな信号レベル差がある場合でも、周波数変換手段の特性補償を行わずともレベルの高い信号のイメージ妨害によるレベルの低い信号の受信性能劣化が生じない、良好な受信性能を得ることができるという効果が得られる。
【００４４】
（第４の実施の形態）
次に、第４の実施の形態として、第１から第３の実施の形態で利用された複素ミキサ４、５、６、７の乗算器を共用化して、回路を簡略化する方法について説明する。
図７は、複素ミキサ４と５、または複素ミキサ６と７のように、利用するローカル信号が互いに複素共役の関係にある複素ミキサ同士の乗算器を共用化する合成複素ミキサの構成を示すブロック図であって、合成複素ミキサは、入力された実数軸信号（Ｓ．Ｉ）と虚数軸信号（Ｓ．Ｑ）とに、外部に接続された直交キャリア発振器の発生するローカル信号の実数軸信号（Ｆ．Ｉ）と、虚数軸信号（Ｆ．Ｑ）とをそれぞれ乗算する乗算器５１及び乗算器５２と、更に乗算器５２の出力の符号を符号反転器５３によって反転し、乗算器５１の出力に加算して２個ある実数軸信号出力の内の実数軸信号出力（Ｐ１．Ｉ）とする加算器５４を備えている。
【００４５】
また合成複素ミキサは、入力された実数軸信号（Ｓ．Ｉ）と虚数軸信号（Ｓ．Ｑ）とに、同様に外部に接続された直交キャリア発振器の発生するローカル信号の虚数軸信号（Ｆ．Ｑ）と、実数軸信号（Ｆ．Ｉ）とをそれぞれ乗算する乗算器５５及び乗算器５６と、更に乗算器５５の出力に乗算器５６の出力を加算して２個ある虚数軸信号出力の内の虚数軸信号出力（Ｐ１．Ｑ）とする加算器５７を備えている。更に、合成複素ミキサは、乗算器５１の出力に乗算器５２の出力を加算して２個ある実数軸信号出力の内の実数軸信号出力（Ｐ２．Ｉ）とする加算器５８と、乗算器５５の出力の符号を符号反転器５９によって反転し、乗算器５６の出力に加算して２個ある虚数軸信号出力の内の虚数軸信号出力（Ｐ２．Ｑ）とする加算器６０を備えている。
【００４６】
以上説明した合成複素ミキサを、例えば第１の実施の形態のマルチチャンネル受信機に利用した場合を次に説明する。
図８は、第１の実施の形態のマルチチャンネル受信機に、図７を用いて説明した合成複素ミキサを利用した場合を示すブロック図であって、図８において、図９に示した従来例の受信機の構成要素と同じ符号を付与した構成要素は、従来例の受信機と同じ動作を行う構成要素である。また、図２、図５、図６に示した第１、第２、第３の実施の形態のマルチチャンネル受信機の構成要素と同じ符号を付与した構成要素は、第１、第２、第３の実施の形態のマルチチャンネル受信機と同じ動作を行う構成要素である。
【００４７】
図８を参照して、本実施の形態のマルチチャンネル受信機を説明すると、本実施の形態のマルチチャンネル受信機は、アンテナ１からの受信信号を、該受信信号に直交キャリア発振器２１の発生するローカル信号の実数軸信号”ｃｏｓ”と、実数軸信号より９０度位相の進んだ虚数軸信号”−ｓｉｎ”とをそれぞれ乗算する乗算器２２と乗算器２３とを備えた直交検波器２において、図１（ｂ）に示すように、５つの奇数の信号波の中心の信号波のキャリアｆ３’を周波数ゼロの直流成分に変換し、中心の信号波を複素ベースバンド信号に変換する。同時に、キャリアｆ３’の信号以外のキャリアｆ１’、ｆ２’、ｆ４’、ｆ５’の信号波を、周波数ゼロの直流成分に対して対称に配置されたキャリアｆ１、ｆ２、ｆ４、ｆ５の複素中間周波数信号に変換すると共に、複素中間周波数信号に変換された直交検波器２の複素信号出力をＡ／Ｄ変換器であるＡＤＣ３ａ、３ｂによりそれぞれＡ／Ｄ変換し、複素中間周波数ディジタル信号とする。
【００４８】
なお、第１の実施の形態と同様に、図１（ａ）、（ｂ）に示す信号波の配置は一例であって、入力される信号波は、直交検波器２の出力において、キャリアｆ３’の信号がベースバンド信号に変換された状態の時、キャリアｆ１とｆ５、及びキャリアｆ２とｆ４が、それぞれ周波数ゼロの直流成分に対して対称に配置された信号波（ローカル信号が互いに複素共役周波数の関係にある信号波）であれば良く、図１（ａ）、（ｂ）に示すように、等間隔あるいは隣接して配置される必要はない。
【００４９】
一方、周波数ゼロの直流成分に対して対称に配置されたキャリアｆ１、ｆ２、ｆ４、ｆ５の複素中間周波数ディジタル信号は、図７を用いて説明した合成複素ミキサ１９、２０に同時に入力され、それぞれの信号波に対して周波数変換が行われる。ここで、合成複素ミキサ１９は、キャリアｆ４とキャリアｆ１の信号波に対応した合成複素ミキサであって、ローカル信号入力端子（Ｆ．Ｉ、Ｆ．Ｑ）にｆ４の絶対値の周波数を発振周波数とする直交キャリア発振器８が発生したローカル信号の実数軸信号”ｃｏｓ”と、実数軸信号より９０度位相の遅れた虚数軸信号”ｓｉｎ”とがそれぞれ入力されており、負側のキャリアｆ４の信号波に周波数変換を行い、キャリアｆ４を周波数ゼロの直流成分に変換し、この信号波を複素ベースバンド信号（Ｉ４、Ｑ４）に変換すると同時に、正側のキャリアｆ２の信号波に周波数変換を行い、キャリアｆ２を周波数ゼロの直流成分に変換し、この信号波を複素ベースバンド信号（Ｉ２、Ｑ２）に変換する。
【００５０】
また、合成複素ミキサ２０は、キャリアｆ５の信号波に対応した複素ミキサであって、ローカル信号入力端子（Ｆ．Ｉ、Ｆ．Ｑ）にｆ５の絶対値の周波数を発振周波数とする直交キャリア発振器１０が発生したローカル信号の実数軸信号”ｃｏｓ”と、実数軸信号より９０度位相の遅れた虚数軸信号”ｓｉｎ”とがそれぞれ入力されており、負側のキャリアｆ５の信号波に周波数変換を行い、キャリアｆ５を周波数ゼロの直流成分に変換し、この信号波を複素ベースバンド信号（Ｉ５、Ｑ５）に変換すると同時に、正側のキャリアｆ１の信号波に周波数変換を行い、キャリアｆ１を周波数ゼロの直流成分に変換し、この信号波を複素ベースバンド信号（Ｉ１、Ｑ１）に変換する。
【００５１】
なお、上述の実施の形態では、第１の実施の形態によるマルチチャンネル受信機に用いられた複素ミキサ４と５、または複素ミキサ６と７のように、利用するローカル信号が互いに複素共役の関係にあるミキサ同士の乗算器を共用化する場合の実施の形態を、一例として第１の実施の形態のマルチチャンネル受信機に合成複素ミキサ１９、２０を適用して説明を行ったが、合成複素ミキサ１９、２０は、同様に、第２、第３の実施の形態によるマルチチャンネル受信機に用いられた複素ミキサ４と５、または複素ミキサ６と７の乗算器を共用化する場合にも適用することができる。
【００５２】
以上説明したように、本実施の形態のマルチチャンネル受信機は、直交検波器２によって、例えばチャンネルの異なる５つの信号波の中心の信号波のキャリアを、周波数ゼロの直流成分に周波数変換することで、チャンネルの異なる５つの信号波の中で中心に存在する信号波を、１組のＡ／Ｄ変換器ＡＤＣ３ａ、３ｂの出力から直接ディジタル信号化されたベースバンド信号として取り出すことができる。また、周波数ゼロの直流成分に対して対称に配置された複素中間周波数信号を、１組のＡ／Ｄ変換器ＡＤＣ３ａ、３ｂによりディジタル信号化した後、第１から第３の実施の形態によるマルチチャンネル受信機で用いられた複素ミキサ４と５、または複素ミキサ６と７のように、利用するローカル信号が互いに複素共役の関係にあるミキサ同士の乗算器を共用化した合成複素ミキサ１９、２０によって、残る４つの信号波を同時にベースバンド信号に変換して取り出すことができる。
従って、更に演算量や回路規模が小さく、消費電力の少ない受信機を構成できるという効果が得られる。
【００５３】
なお、上述の第１から第４の実施の形態において、本発明のマルチチャンネル受信機は、信号の変調波シンボルタイミングとチャンネル間隔に制約のないマルチチャンネル信号を受信すると説明したが、本発明のマルチチャンネル受信機は、従来のＯＦＤＭ信号やＭＣ−ＣＤＭＡ（Multi Carrier-Code Division Multiple Access）信号のような、信号の変調波シンボルタイミングや周波数間隔に制約のあるマルチキャリア信号を受信するのに用いても良い。
【００５４】
【発明の効果】
以上の如く、請求項１に記載のマルチチャンネル受信機によれば、チャンネルの異なる３つ以上の奇数の信号波の中で中心に存在する信号波を、１組のＡ／Ｄ変換手段の出力から直接ディジタル信号化されたベースバンド信号として取り出すことができる。また、周波数ゼロの直流成分に対して対称に配置された複素中間周波数信号を、１組のＡ／Ｄ変換手段によりディジタル信号化した後、互いに複素共役の関係にあるローカル信号を持つ信号波数分用意された正側周波数変換手段と負側周波数変換手段とにより、それぞれ同時にベースバンド信号に変換して取り出すことができる。
従って、奇数の信号波の中心の信号波をベースバンド信号として効率的に取り出すと共に、周波数ゼロの直流成分に対して対称に配置された残りの２つ以上の信号波も、正側周波数変換手段と負側周波数変換手段とによりベースバンド信号として効率的に取り出すことで、演算量や回路規模が小さく、消費電力の少ない受信機を構成できるという効果が得られる。
【００５５】
請求項２に記載のマルチチャンネル受信機によれば、周波数ゼロの直流成分に対して対称に配置された複素中間周波数信号を、１組のＡ／Ｄ変換手段によりディジタル信号化した後、互いに複素共役の関係にあるローカル信号を持つ信号波数分用意された正側周波数変換手段と負側周波数変換手段とにより、それぞれ同時にベースバンド信号に変換して取り出すことができる。
従って、周波数ゼロの直流成分に対して対称に配置された２つ以上の信号波を、正側周波数変換手段と負側周波数変換手段とによりベースバンド信号として効率的に取り出すことで、演算量や回路規模が小さく、消費電力の少ない受信機を構成できるという効果が得られる。
【００５６】
請求項３に記載のマルチチャンネル受信機によれば、チャンネルの異なる２つ以上の偶数の信号波を、一次周波数変換手段により中間周波数の信号に変換した後、Ａ／Ｄ変換手段によりディジタル信号化することで、複素出力ディジタル周波数変換手段により、２つ以上の偶数の信号波を周波数ゼロの直流成分に対して対称に配置された複素中間周波数ディジタル信号に変換することができる。また、周波数ゼロの直流成分に対して対称に配置された複素中間周波数ディジタル信号を、互いに複素共役の関係にあるローカル信号を持つ信号波数分用意された正側周波数変換手段と負側周波数変換手段とにより、それぞれ同時にベースバンド信号に変換して取り出すことができる。
従って、複数の信号波をディジタル信号化してから、複素出力ディジタル周波数変換手段により複素中間周波数信号に変換することができるので、複素信号に変換する際に、周波数変換手段のイメージ妨害によるノイズの発生がなく、例えば、周波数ゼロの直流成分に対して対称に配置された正側と負側の複素中間周波数ディジタル信号に信号のレベル差があっても、周波数変換手段の特性補償を行わずに良好な受信性能を得ることができるという効果が得られる。
【００５７】
請求項４に記載のマルチチャンネル受信機によれば、正側周波数変換手段の複素ローカル信号か、負側周波数変換手段の複素ローカル信号のどちらか一方の複素ローカル信号を用意し、もう一方の複素ローカル信号はこれを利用して生成すれば良いので、新たなローカル信号発生器が不要となる。
従って、更に回路規模が小さく、消費電力の少ない受信機を構成できるという効果が得られる。
【００５８】
請求項５に記載のマルチチャンネル受信機によれば、複素ローカル信号が互いに複素共役の関係にある正側周波数変換手段と負側周波数変換手段とにおいて、両者の乗算器を共用化することで、周波数ゼロの直流成分に対して対称に配置された正側と負側の複素中間周波数信号を、同時にベースバンド信号に変換することができる。
従って、更に演算量や回路規模が小さく、消費電力の少ない受信機を構成できるという効果が得られる。
【００５９】
請求項６に記載のマルチチャンネル受信機によれば、信号の変調波シンボルタイミングや周波数間隔に制約のあるマルチキャリア信号でも、３つ以上の奇数の信号波、あるいは２つ以上の偶数の信号波を、周波数ゼロの直流成分に対して対称に配置された正側と負側の信号からなる複素中間周波数信号に変換することで、マルチチャンネル信号と同様に受信することができる。
従って、従来のマルチキャリア信号も、演算量や回路規模が小さく、消費電力の少ない受信機により受信することができるようになるという効果が得られる。
【図面の簡単な説明】
【図１】  本発明の第１の実施の形態によるマルチチャンネル受信機の入力信号の一例を示す図である。
【図２】  本発明の第１の実施の形態によるマルチチャンネル受信機の構成を示すブロック図である。
【図３】  同実施の形態によるマルチチャンネル受信機で用いられる複素ミキサの構成を示すブロック図である。
【図４】  本発明の第２の実施の形態によるマルチチャンネル受信機の入力信号の一例を示す図である。
【図５】  本発明の第２の実施の形態によるマルチチャンネル受信機の構成を示すブロック図である。
【図６】  本発明の第３の実施の形態によるマルチチャンネル受信機の構成を示すブロック図である。
【図７】  本発明の第１から第３の実施の形態によるマルチチャンネル受信機において、正側周波数用と負側周波数用の複素ミキサの乗算器を共用化した場合の構成を示すブロック図である。
【図８】  本発明の第４の実施の形態によるマルチチャンネル受信機の構成を示すブロック図である。
【図９】  従来例の受信機の構成を示すブロック図である。
【符号の説明】
１    アンテナ
２    直交検波器
３ａ、３ｂ、１７    ＡＤＣ（Ａ／Ｄ変換器）
４、５、６、７    複素ミキサ
８、１０、１２、１３、２１、４１    直交キャリア発振器
９、１１、５３、５９    符号反転器
１４    キャリア発振器
１５、２２、２３、３１、３２、３４、３５、４２、４３、５１、５２、５５、５６、    乗算器
１６    バンドパスフィルタ
１８    ディジタル直交検波器
１９、２０    合成複素ミキサ
３３    減算器
３６、５４、５７、５８、６０    加算器
【図１】
0003893078.tif 000002
【図２】
0003893078.tif 000003
【図３】
0003893078.tif 000004
【図４】
0003893078.tif 000005
【図５】
0003893078.tif 000006
【図６】
0003893078.tif 000007
【図７】
0003893078.tif 000008
【図８】
0003893078.tif 000009
【図９】
0003893078.tif 000010